(57)【特許請求の範囲】
【請求項１】
被加熱物を収容した容器が載置される天板と、
前記天板の下側に左右に並べて配置され、前記天板の左側に載置された容器を加熱するための左加熱コイル、および、前記天板の右側に載置された容器を加熱するための右加熱コイルと、
前記左加熱コイルおよび前記右加熱コイルの下方の領域を、左領域および右領域に仕切る遮熱板と、
前記遮熱板で仕切られた前記左領域に形成され、前面に開口を有する加熱庫と、
前記加熱庫の左右側壁の下部にそれぞれ固設された左固定レールおよび右固定レールと、
前記左固定レールによって前後方向にスライド自在に支持される左可動レールと、
前記右固定レールによって前後方向にスライド自在に支持される右可動レールと、
前記左可動レールおよび前記右可動レールの前端に支持され、前記左可動レールおよび前記右可動レールとともに前後移動することによって前記加熱庫の前面開口を開閉するドアと、
前記ドアと一緒に前後移動する、被加熱物が載置される受皿と、
前記加熱庫内において、前記受皿に載置された被加熱物を加熱するヒータと、を備え、キッチンにビルトインされるビルトイン型ＩＨ調理器であって、
前記左固定レールおよび前記右固定レールの少なくとも一方の後方部分に固定された固定レール側固定金具と、
前記固定レール側固定金具に形成され、所定レベル以上の振動が発生しないときには可動体を保持する一方で前記所定レベル以上の振動が発生したときには前記可動体が離脱する上部保持部、および、前記上部保持部に対して下側へ連続しており、前記所定レベル以上の振動が発生したときに前記上部保持部から離脱した可動体を下降させて保持する下部保持部、を有する可動体案内路と、
前記左可動レールおよび前記右可動レールの少なくとも一方に固定された可動レール側固定金具と、
前記可動レール側固定金具に形成され、前記可動体が前記上部保持部に保持された状態では前記可動体に当接しない一方で、前記所定レベル以上の振動が発生したときには、前記ドアおよび前記受皿の前方移動を阻止するべく、前記下部保持部に保持された前記可動体に後方から当接する後方当接部と、
を有することを特徴とする、ビルトイン型ＩＨ調理器。
【請求項２】
前記可動レール側固定金具は、前記可動レール側固定金具が固定される前記左可動レールおよび前記右可動レールの少なくとも一方の後方部分に固定されていることを特徴とする、請求項１記載のビルトイン型ＩＨ調理器。
【請求項３】
前記可動レール側固定金具には、前記下部保持部に保持された前記可動体に前記後方当接部が後方から当接している状態で前記左可動レールおよび前記右可動レールを前記ドアおよび前記受皿とともに後方へ移動させたときに、前記可動体に前方から当接して前記可動体を前記上部保持部まで移動させる前方当接部が形成されていることを特徴とする、請求項１または２記載のビルトイン型ＩＨ調理器。
【請求項４】
前記前方当接部は、前記所定レベル以上の振動が発生したとき、前記可動体が前記上部保持部から離脱して前記下部保持部へ移動できるように、前記可動体から前方へ離間することを特徴とする、請求項３記載のビルトイン型ＩＨ調理器。
【請求項５】
被加熱物を収容した容器が載置される天板と、
前記天板の下側に左右に並べて配置され、前記天板の左側に載置された容器を加熱するための左加熱コイル、および、前記天板の右側に載置された容器を加熱するための右加熱コイルと、
前記左加熱コイルおよび前記右加熱コイルの下方の領域を、左領域および右領域に仕切る遮熱板と、
前記遮熱板で仕切られた前記左領域に形成され、前面に開口を有する加熱庫と、
前記加熱庫の左右側壁の下部にそれぞれ固設された左固定レールおよび右固定レールと、
前記左固定レールによって前後方向にスライド自在に支持される左可動レールと、
前記右固定レールによって前後方向にスライド自在に支持される右可動レールと、
前記左可動レールおよび前記右可動レールの前端に支持され、前記左可動レールおよび前記右可動レールとともに前後移動することによって前記加熱庫の前面開口を開閉するドアと、
前記ドアと一緒に前後移動する、被加熱物が載置される受皿と、
前記加熱庫内において、前記受皿に載置された被加熱物を加熱するヒータと、を備え、キッチンにビルトインされるビルトイン型ＩＨ調理器であって、
前記左固定レールおよび前記右固定レールの少なくとも一方の後方部分に固定された固定レール側固定金具と、
前記固定レール側固定金具に形成され、所定レベル以上の振動が発生しないときには可動体を保持する一方で前記所定レベル以上の振動が発生したときには前記可動体が離脱する下部保持部、および、前記下部保持部に対して上側へ連続しており、前記所定レベル以上の振動が発生したときに前記下部保持部から離脱した可動体を上昇せしめる上昇案内部、を有する可動体案内路と、
前記左可動レールおよび前記右可動レールの少なくとも一方に固定された可動レール側固定金具と、
前記可動レール側固定金具に形成され、前記可動体が前記下部保持部に保持された状態では前記可動体に当接しない一方で、前記所定レベル以上の振動が発生したときには、前記ドアおよび前記受皿の前方移動を阻止するべく、前記上昇案内部に位置する前記可動体に後方から当接する後方当接部と、
を有することを特徴とする、ビルトイン型ＩＨ調理器。
【発明の詳細な説明】
【技術分野】
【０００１】
この発明は、キッチンにビルトインされるビルトイン型ＩＨ調理器に関する。
【背景技術】
【０００２】
従来より、キッチンにビルトインされるビルトイン型ＩＨ調理器が知られている。たとえば、特許文献１に記載の誘導加熱調理器は、トッププレート（天板に相当する。）が露出されるようにキッチンキャビネットに組み込まれる。
特許文献１に記載の誘導加熱調理器において、トッププレートの下方には、左右および後方中央に誘導加熱コイルがそれぞれ１つずつ設けられ、誘導加熱コイルの下方には、ロースター（加熱庫に相当する。）が設けられている。
【０００３】
ロースターには、その前面を開閉するドアと、ロースター内に収容され、被加熱物が載置される受皿とが設けられている。ドアを手前に引くことによって、受皿をロースター内から手前に引き出すことができる。
【特許文献１】特開２００２−３９５４６号公報
【発明の開示】
【発明が解決しようとする課題】
【０００４】
たとえば、地震などの大きな振動が発生すると、その振動によって、ロースター内に収容された受皿とドアとが不意に手前に飛び出す虞がある。その場合、受皿に載置された被加熱物が床面にこぼれ落ちたり、受皿およびドアが誘導加熱調理器から外れて落下したりする不具合が生じる。
そこで、所定レベル以上の振動が発生したときにはドアおよび受皿をロックしてドアおよび受皿の前方移動を阻止する機構を誘導加熱調理器に備えることが考えられる。ただし、ロースターにおける周囲温度は比較的高いので、電気的な構成では、ロースターの熱的影響を受け、上述した振動の検知、ならびにドアおよび受皿のロックを正常に実施できない虞がある。さらに、この構成では、誘導加熱コイルで生じるノイズの影響を受けやすい。そこで、電気を用いない簡易な構成（機械的な機構）で、所定レベル以上の振動が発生した場合においてもドアおよび受皿をロックできることが望ましい。
【０００５】
また、ドアおよび受皿のロックを円滑に解除できることも望ましい。
この発明は、かかる背景のもとになされたもので、簡易な構成によって、所定レベル以上の振動が発生した場合においても加熱庫におけるドアおよび受皿をロックできるビルトイン型ＩＨ調理器を提供することを主たる目的とする。
この発明は、ドアおよび受皿のロックを円滑に解除できるビルトイン型ＩＨ調理器を提供することを別の目的とする。
【課題を解決するための手段】
【０００６】
請求項１記載の発明は、被加熱物を収容した容器が載置される天板と、前記天板の下側に左右に並べて配置され、前記天板の左側に載置された容器を加熱するための左加熱コイル、および、前記天板の右側に載置された容器を加熱するための右加熱コイルと、前記左加熱コイルおよび前記右加熱コイルの下方の領域を、左領域および右領域に仕切る遮熱板と、前記遮熱板で仕切られた前記左領域に形成され、前面に開口を有する加熱庫と、前記加熱庫の左右側壁の下部にそれぞれ固設された左固定レールおよび右固定レールと、前記左固定レールによって前後方向にスライド自在に支持される左可動レールと、前記右固定レールによって前後方向にスライド自在に支持される右可動レールと、前記左可動レールおよび前記右可動レールの前端に支持され、前記左可動レールおよび前記右可動レールとともに前後移動することによって前記加熱庫の前面開口を開閉するドアと、前記ドアと一緒に前後移動する、被加熱物が載置される受皿と、前記加熱庫内において、前記受皿に載置された被加熱物を加熱するヒータと、を備え、キッチンにビルトインされるビルトイン型ＩＨ調理器であって、前記左固定レールおよび前記右固定レールの少なくとも一方の後方部分に固定された固定レール側固定金具と、前記固定レール側固定金具に形成され、所定レベル以上の振動が発生しないときには可動体を保持する一方で前記所定レベル以上の振動が発生したときには前記可動体が離脱する上部保持部、および、前記上部保持部に対して下側へ連続しており、前記所定レベル以上の振動が発生したときに前記上部保持部から離脱した可動体を下降させて保持する下部保持部、を有する可動体案内路と、前記左可動レールおよび前記右可動レールの少なくとも一方に固定された可動レール側固定金具と、前記可動レール側固定金具に形成され、前記可動体が前記上部保持部に保持された状態では前記可動体に当接しない一方で、前記所定レベル以上の振動が発生したときには、前記ドアおよび前記受皿の前方移動を阻止するべく、前記下部保持部に保持された前記可動体に後方から当接する後方当接部と、を有することを特徴とする、ビルトイン型ＩＨ調理器である。
【０００７】
請求項２記載の発明は、前記可動レール側固定金具は、前記可動レール側固定金具が固定される前記左可動レールおよび前記右可動レールの少なくとも一方の後方部分に固定されていることを特徴とする、請求項１記載のビルトイン型ＩＨ調理器である。
請求項３記載の発明は、前記可動レール側固定金具には、前記下部保持部に保持された前記可動体に前記後方当接部が後方から当接している状態で前記左可動レールおよび前記右可動レールを前記ドアおよび前記受皿とともに後方へ移動させたときに、前記可動体に前方から当接して前記可動体を前記上部保持部まで移動させる前方当接部が形成されていることを特徴とする、請求項１または２記載のビルトイン型ＩＨ調理器である。
【０００８】
請求項４記載の発明は、前記前方当接部は、前記所定レベル以上の振動が発生したとき、前記可動体が前記上部保持部から離脱して前記下部保持部へ移動できるように、前記可動体から前方へ離間することを特徴とする、請求項３記載のビルトイン型ＩＨ調理器である。
請求項５記載の発明は、被加熱物を収容した容器が載置される天板と、前記天板の下側に左右に並べて配置され、前記天板の左側に載置された容器を加熱するための左加熱コイル、および、前記天板の右側に載置された容器を加熱するための右加熱コイルと、前記左加熱コイルおよび前記右加熱コイルの下方の領域を、左領域および右領域に仕切る遮熱板と、前記遮熱板で仕切られた前記左領域に形成され、前面に開口を有する加熱庫と、前記加熱庫の左右側壁の下部にそれぞれ固設された左固定レールおよび右固定レールと、前記左固定レールによって前後方向にスライド自在に支持される左可動レールと、前記右固定レールによって前後方向にスライド自在に支持される右可動レールと、前記左可動レールおよび前記右可動レールの前端に支持され、前記左可動レールおよび前記右可動レールとともに前後移動することによって前記加熱庫の前面開口を開閉するドアと、前記ドアと一緒に前後移動する、被加熱物が載置される受皿と、前記加熱庫内において、前記受皿に載置された被加熱物を加熱するヒータと、を備え、キッチンにビルトインされるビルトイン型ＩＨ調理器であって、前記左固定レールおよび前記右固定レールの少なくとも一方の後方部分に固定された固定レール側固定金具と、前記固定レール側固定金具に形成され、所定レベル以上の振動が発生しないときには可動体を保持する一方で前記所定レベル以上の振動が発生したときには前記可動体が離脱する下部保持部、および、前記下部保持部に対して上側へ連続しており、前記所定レベル以上の振動が発生したときに前記下部保持部から離脱した可動体を上昇せしめる上昇案内部、を有する可動体案内路と、前記左可動レールおよび前記右可動レールの少なくとも一方に固定された可動レール側固定金具と、前記可動レール側固定金具に形成され、前記可動体が前記下部保持部に保持された状態では前記可動体に当接しない一方で、前記所定レベル以上の振動が発生したときには、前記ドアおよび前記受皿の前方移動を阻止するべく、前記上昇案内部に位置する前記可動体に後方から当接する後方当接部と、を有することを特徴とする、ビルトイン型ＩＨ調理器である。
【発明の効果】
【０００９】
請求項１記載の発明によれば、このビルトイン型ＩＨ調理器の加熱庫の左右側壁の下部に左固定レールおよび右固定レールがそれぞれ固設されており、左固定レールによって左可動レールが前後方向にスライド自在に支持され、右固定レールによって右可動レールが前後方向にスライド自在に支持されている。そして、被加熱物が載置される受皿と加熱庫の前面開口を開閉するドアとが、左可動レールおよび右可動レールとともに前後移動する。
【００１０】
ここで、左固定レールおよび右固定レールの少なくとも一方の後方部分に固定された固定レール側固定金具には可動体案内路が形成されている。可動体案内路において、可動体が、所定レベル以上の振動が発生しないときには上部保持部に保持される一方で、所定レベル以上の振動が発生したときには上部保持部から離脱する。上部保持部から離脱した可動体は、上部保持部に対して下側へ連続する下部保持部を下降して下部保持部に保持される。
【００１１】
そして、左可動レールおよび右可動レールの少なくとも一方に固定された可動レール側固定金具に形成された後方当接部は、可動体が上部保持部に保持された状態では可動体に当接しないので、左可動レール、右可動レール、ドアおよび受皿の前方移動が許容される。一方で、所定レベル以上の振動が発生したときには、後方当接部が、下部保持部に保持された可動体に後方から当接するので、左可動レール、右可動レール、ドアおよび受皿の前方移動が阻止される。
【００１２】
つまり、このような簡易な構成によって、所定レベル以上の振動が発生した場合においても加熱庫におけるドアおよび受皿をロックすることができる。
請求項２記載の発明によれば、可動レール側固定金具は、可動レール側固定金具が固定される左可動レールおよび右可動レールの少なくとも一方の後方部分に固定されているので、可動レール側固定金具を目立たなくすることができる。
【００１３】
請求項３記載の発明によれば、可動レール側固定金具に形成された前方当接部は、下部保持部に保持された可動体に後方当接部が後方から当接している状態で左可動レールおよび右可動レールをドアおよび受皿とともに後方へ移動させたときに、可動体に前方から当接して可動体を上部保持部まで移動させる。これにより、可動体に対する後方当接部の当接が解除されるので、左可動レール、右可動レール、ドアおよび受皿の前方移動が再び許容される。つまり、前方当接部によって、ドアおよび受皿のロックを円滑に解除することができる。
【００１４】
請求項４記載の発明によれば、前方当接部は、所定レベル以上の振動が発生したとき、可動体が上部保持部から離脱して下部保持部へ移動できるように、可動体から前方へ離間するので、可動体を下部保持部に確実に保持させ、後方当接部を可動体に当接させることができる。そのため、前方当接部を設けた場合であっても、所定レベル以上の振動が発生した場合においても加熱庫におけるドアおよび受皿をロックすることができる。
【００１５】
請求項５記載の発明によれば、このビルトイン型ＩＨ調理器の加熱庫の左右側壁の下部に左固定レールおよび右固定レールがそれぞれ固設されており、左固定レールによって左可動レールが前後方向にスライド自在に支持され、右固定レールによって右可動レールが前後方向にスライド自在に支持されている。そして、被加熱物が載置される受皿と加熱庫の前面開口を開閉するドアとが、左可動レールおよび右可動レールとともに前後移動する。
【００１６】
ここで、左固定レールおよび右固定レールの少なくとも一方の後方部分に固定された固定レール側固定金具には可動体案内路が形成されている。可動体案内路において、可動体が、所定レベル以上の振動が発生しないときには下部保持部に保持される一方で、所定レベル以上の振動が発生したときには下部保持部から離脱する。下部保持部から離脱した可動体は、下部保持部に対して上側へ連続する上昇案内部を上昇して上昇案内部に位置する。
【００１７】
そして、左可動レールおよび右可動レールの少なくとも一方に固定された可動レール側固定金具に形成された後方当接部は、可動体が下部保持部に保持された状態では可動体に当接しないので、左可動レール、右可動レール、ドアおよび受皿の前方移動が許容される。一方で、所定レベル以上の振動が発生したときには、後方当接部が、上昇案内部に位置する可動体に後方から当接するので、左可動レール、右可動レール、ドアおよび受皿の前方移動が阻止される。
【００１８】
つまり、このような簡易な構成によって、所定レベル以上の振動が発生した場合においても加熱庫におけるドアおよび受皿をロックすることができる。
【発明を実施するための最良の形態】
【００１９】
以下では、この発明の一実施形態に係る加熱調理器１を、添付図面を参照して詳細に説明する。
＜加熱調理器の概要＞
図１は、加熱調理器１を正面右上から見た斜視図である。図２は、図１に示す加熱調理器１の正断面図である。なお、方向について言及する場合には、図示した方向矢印を参照する（以下同様）。ここで、前側と正面側とは同じであり、後側と背面側とは同じであり、左右方向と幅方向とは同じである。
【００２０】
この実施形態に係る加熱調理器１は、キッチン（図示せず）にビルトインされる、いわゆるビルトイン型の誘導加熱調理器（ＩＨ調理器）である。図１に示すように、加熱調理器１は、その外殻をなすケーシング２を備えている。
ケーシング２は、平面視においてやや幅広の矩形状であり、かつ、上下方向にやや薄いボックス形状である。ケーシング２は、その主たる部分をなすフレーム３と、フレーム３の上面に設けられた天板４とを有している。
【００２１】
フレーム３は、ケーシング２とほぼ同じ大きさで中空のボックス形状であり、その前側上端部は、幅方向全域に亘って、左側面視で略Ｌ字形状に窪んでおり、組み付け部５とされる。組み付け部５には、キッチンに設けられた位置決めバー（図示せず）が嵌まり、これにより、加熱調理器１がキッチンに組み付けられる。
天板４は、ガラス製であって、ケーシング２の上面をなし、平面視で矩形の薄板状に形成されており、フレーム３の上面を覆っている。
【００２２】
天板４の後縁部の左右には、フレーム３の内部に連通する切欠きがそれぞれ設けられており、左側の切欠きは、左通風口２０とされ、右側の切欠きは、右通風口２１とされる。左通風口２０および右通風口２１のそれぞれは、カバー２２によって上から覆われている。カバー２２は、格子状に形成されているので、左通風口２０および右通風口２１は、カバー２２によって覆われた状態であっても、外部に連通している（通気性を有している）。つまり、カバー２２は、左通風口２０および右通風口２１のそれぞれを通風可能にカバーしている。
【００２３】
フレーム３では、天板４の下側かつ組み付け部５の後側の空間が、図２に示す上側空間６とされている。上側空間６では、前方左右と後方中央との合計３箇所の位置に、誘導加熱コイルがそれぞれ配置されており、各誘導加熱コイルは、それぞれの位置に応じて、左加熱コイル７、右加熱コイル８、中央後加熱コイル９（図１参照）と区別される。左加熱コイル７および右加熱コイル８は、左右に並べて配置されている。中央後加熱コイル９は、左加熱コイル７および右加熱コイル８の間で、かつ、左加熱コイル７および右加熱コイル８の後側に配置されている。また、左加熱コイル７および右加熱コイル８の定格出力は、ともに相対的に大きく、たとえば３ｋＷである。これに対し、中央後加熱コイル９の定格出力は、相対的に小さく、たとえば１．６ｋＷである。
【００２４】
なお、図１に示すように、天板４の上面において、左加熱コイル７、右加熱コイル８および中央後加熱コイル９のそれぞれに一致する部分には、容器（金属鍋など）の載置位置を示すための環状の囲み線が、印刷などによって表示されている。各囲み線は、それぞれの位置に応じて、左囲み線１０、右囲み線１１、中央後囲み線１２と区別される。左囲み線１０は、左加熱コイル７に対応し、天板４の左側に位置している。右囲み線１１は、右加熱コイル８に対応し、天板４の右側に位置している。中央後囲み線１２は、中央後加熱コイル９に対応し、天板４の後側中央に位置している。
【００２５】
また、フレーム３では、組み付け部５および上側空間６（図２参照）より下側の空間が、図２に示す下側空間１３とされ、フレーム３の後壁へ向かって前後に延びる遮熱板１４によって、左領域１５と右領域１６とに左右に仕切られている。左領域１５は、左加熱コイル７の下方に形成された空間であり、右領域１６に対して、幅方向に１．５倍程大きい。右領域１６は、右加熱コイル８の下方に形成された空間である。また、遮熱板１４は、例えば金属製であり、左領域１５と右領域１６とを熱的に遮断している。
【００２６】
左領域１５には、ロースター１７が配置されている。ロースター１７内には、ヒータ４９が設けられており、ロースター１７内に収容された被加熱物は、ヒータ４９によって加熱される。
右領域１６には、左加熱コイル７、右加熱コイル８および中央後加熱コイル９を制御する制御回路基板１８と、その制御回路基板１８の後方に位置するファンなどの送風装置１９（図１参照）とが配置されている。
【００２７】
また、図１に示すように、天板４の前端には、天板４に比べて一段上側へ突き出た操作部２４が取り付けられている。操作部２４は、組み付け部５の上方に位置にしている。操作部２４の上面には、操作ダイヤル２３が複数設けられている。操作ダイヤル２３は、左加熱コイル７、右加熱コイル８および中央後加熱コイル９による加熱調理を行うときに操作される。
【００２８】
次に、この加熱調理器１の動作について説明する。
まず、被加熱物が収容された容器を、左囲み線１０、右囲み線１１および中央後囲み線１２において対応する囲み線に収まるように（つまり、左加熱コイル７、右加熱コイル８および中央後加熱コイル９において対応する加熱コイルの上に配置されるように）、天板４の上面に載置する。
【００２９】
そして、操作ダイヤル２３を操作する。操作ダイヤル２３の操作に応じて、左加熱コイル７、右加熱コイル８および中央後加熱コイル９において対応する加熱コイルが、制御回路基板１８によって駆動制御される。これに応じて、容器が、その下方にある加熱コイルの電磁誘導作用によって発熱し、容器に収容された被加熱物の加熱調理が行われる。
このとき、送風装置１９が作動し、外気が右通風口２１からフレーム３内に吸い込まれる。フレーム３内に吸い込まれた外気は、冷却風として、まず、下側空間１３の右領域１６（図２参照）に流入して制御回路基板１８を冷却し、その後、上側空間６に流入して、左加熱コイル７、右加熱コイル８および中央後加熱コイル９を冷却する。そして、これらの加熱コイルを冷却した冷却風（冷却に寄与した後の空気）は、左通風口２０から機外へ排出される。
【００３０】
また、ロースター１７（図２参照）による加熱調理時において、その中で魚などの被加熱物を焼いた時に発生する煙は、左通風口２０から機外へ排出される。
＜ロースター＞
図３は、図１において、ロースター１７における引き出しユニット３２を手前に引き出した状態を示す。図４は、図３における加熱調理器１を正面左上側から見た斜視図であって、受皿３８が取り外された状態を示す。図５は、図４において、ドア３７が取り外された状態を示す。
【００３１】
ロースター１７は、左領域１５に形成された加熱庫３０（図２参照）と、ヒータ４９（図３参照）と、１対のレールユニット３４（図２参照）と、連結フレーム３５（図５参照）と、保持フレーム３６（図５参照）と、ドア３７（図４参照）と、受皿３８（図３参照）とを含んでいる。
図２に示すように、加熱庫３０は、左領域１５より一回り小さい中空のボックス状に形成されている。加熱庫３０の前面は開口している（図４参照）。この開口を前面開口３０Ａという。加熱庫３０の左右側壁の下端部は、それぞれ前後方向全域に亘って幅方向内側へ窪んでいる。以下では、加熱庫３０の左側壁の下端部における窪みは、左窪み３３Ｌとされ、加熱庫３０の右側壁の下端部における窪みは、右窪み３３Ｒとされる。図４に示すように、左窪み３３Ｌおよび右窪み３３Ｒの前端は、加熱庫３０の前面開口３０Ａの下端部を幅方向において挟むように、前側に露出されている。
【００３２】
ヒータ４９は、たとえば、シーズヒータを折り曲げることによって形成されており、通電されると発熱する。ヒータ４９は、加熱庫３０の天壁において、加熱庫３０内に臨むように、配置されている。
図２に示すように、１対のレールユニット３４のうち、一方のレールユニット３４は、左レールユニット３４Ｌとされ、左窪み３３Ｌに配置されている。１対のレールユニット３４のうち、他方のレールユニット３４は、右レールユニット３４Ｒとされ、右窪み３３Ｒに配置されている。
【００３３】
各レールユニット３４は、前後方向に沿って延びる２つのレールを含んでいる。これらの２つのレールは、固定レール３９と可動レール４０とに区別される。ここで、左レールユニット３４Ｌにおいて、固定レール３９は、左固定レール３９Ｌと呼ばれ、可動レール４０は左可動レール４０Ｌと呼ばれる。一方、右レールユニット３４Ｒにおいて、固定レール３９は、右固定レール３９Ｒと呼ばれ、可動レール４０は右可動レール４０Ｒと呼ばれる。
【００３４】
固定レール３９は、左窪み３３Ｌおよび右窪み３３Ｒにおいて対応する窪みに固設されている。固定レール３９の上端部および下端部は、前後方向における全域に亘って、加熱庫３０側へ折れ曲っている。詳しくは、左固定レール３９Ｌの上端部および下端部は、右側へ折れ曲っており、右固定レール３９Ｒの上端部および下端部は、左側へ折れ曲っている。
【００３５】
可動レール４０は、対応する固定レール３９において折れ曲った上端部および下端部によって、上下方向から挟持されており、この状態において固定レール３９に対して前後方向にスライド自在である。つまり、左可動レール４０Ｌが、左固定レール３９Ｌによって前後方向にスライド自在に支持されており、右可動レール４０Ｒが、右固定レール３９Ｒによって前後方向にスライド自在に支持されている。
【００３６】
図５に示すように、連結フレーム３５は、左側面視において略逆Ｌ字状に折れ曲げられた金属板であり、左可動レール４０Ｌの前端と右可動レール４０Ｒの前端との間に架設されている。
保持フレーム３６は、やや太い針金を折り曲げることによって、加熱庫３０にちょうど収容され得る大きさの略矩形枠体状に形成されており、左可動レール４０Ｌおよび右可動レール４０Ｒの間に位置するように、連結フレーム３５に取り付けられている。
【００３７】
図４に示すように、ドア３７は、加熱庫３０の前面開口３０Ａを塞ぎ得る大きさを有する、正面視において幅方向に長手の矩形状である。ドア３７の後側面の下端部が、連結フレーム３５（図５参照）に取り付けられている。換言すれば、ドア３７は、連結フレーム３５を介して、左可動レール４０Ｌおよび右可動レール４０Ｒの前端に支持されている。
ドア３７の正面視における略中央部分は、透明になっており、ドア３７が前面開口３０Ａを塞いだ状態において（図１参照）、この透明部分を介して、加熱庫３０内部を覗くことができる。ドア３７の下端部には、ドア３７の幅方向中央に向かうに従って前側に膨出する手掛け部３７Ａが設けられている。
【００３８】
図３に示すように、受皿３８は、受皿本体４１と網４２とを含んでいる。受皿本体４１は、平面視において保持フレーム３６（図４参照）よりやや大きい矩形の皿状であり、保持フレーム３６に載置されており、保持フレーム３６によって、浮いた状態で保持されている。網４２は、金属製であって、平面視において受皿本体４１とほぼ同じ大きさの矩形状である。網４２の周縁部には、下方へ突出する脚４２Ａが複数設けられている。網４２は、脚４２Ａが受皿本体４１の窪み部分に嵌るように、受皿本体４１に載置されている。網４２には、被加熱物が載置される。
【００３９】
上述したように、可動レール４０は、対応する固定レール３９（図２参照）に対して前後方向にスライド自在である。そのため、可動レール４０、連結フレーム３５（図５参照）、保持フレーム３６（図５参照）、ドア３７および受皿３８は、引き出しユニット３２として、固定レール３９に対して前後方向に一体的にスライド自在である。詳しくは、ドア３７の手掛け部３７Ａに手を掛けて手掛け部３７Ａを後側へ押したり手前に引いたりすることによって、引き出しユニット３２は、開位置と閉位置との間を前後方向にスライドする。
【００４０】
開位置にある引き出しユニット３２は、図３に示すように、ドア３７が加熱庫３０の前面開口３０Ａに対して前方へ距離を隔てて配置されるように、加熱庫３０の前側へ引き出されており、これにより、前面開口３０Ａが前側に開放されている。ここで、可動レール４０の後方部分は、左窪み３３Ｌおよび右窪み３３Ｒにおいて対応する窪みから完全に引き出されておらず、対応する固定レール３９に支持されている（図２参照）。
【００４１】
開位置にある引き出しユニット３２を後側へ押し込み、後方移動が停止したときの引き出しユニット３２の位置が、図１に示す閉位置である。閉位置にある引き出しユニット３２では、ドア３７が加熱庫３０の前面開口３０Ａを完全に塞いでいる。また、可動レール４０のほぼすべてが、対応する窪み（左窪み３３Ｌまたは右窪み３３Ｒ）に収容されている（図２参照）。また、受皿３８が、図２に示すように、加熱庫３０内に収容され、ヒータ４９に対して下側から対向している。この状態でヒータ４９が発熱すると、受皿３８の網４２に載置された被加熱物が、発熱するヒータ４９によって加熱される。
【００４２】
このように、ドア３７は、左可動レール４０Ｌおよび右可動レール４０Ｒとともに前後移動することによって、加熱庫３０の前面開口３０Ａを開閉し、受皿３８は、ドア３７と一緒に前後移動する。
図６において、図６（ａ）は、右固定レール３９Ｒ（可動体４５が解除位置にある状態）の後方部を左前側から見た斜視図であり、図６（ｂ）は、右可動レール４０Ｒの後方部を左前側から見た斜視図であり、図６（ｃ）は、右レールユニット３４Ｒ（可動体４５が解除位置にある状態）の左側面図であり、図６（ｄ）は、図６（ｃ）において、右レールユニット３４Ｒの後方部を抜き出した図であり、図６（ｅ）は、図６（ｄ）において、可動体４５がロック位置にある状態を示し、図６（ｆ）は、図６（ｄ）において、可動体４５が解除位置とロック位置との間にある状態を示している。
【００４３】
左固定レール３９Ｌおよび右固定レール３９Ｒの少なくとも一方（ここでは、右固定レール３９Ｒ）の後方部分には、図６（ａ）に示すように、固定レール側固定金具４３が固定されている。
固定レール側固定金具４３は、対応する固定レール３９の上端部から加熱庫３０側（図２参照。ここでは、右固定レール３９Ｒの上端部から左側）へ延びて下方へ折れ曲る金属板である。固定レール側固定金具４３において下方へ折れ曲った部分には、この部分を肉厚方向（幅方向）に貫通する可動体案内路としての溝４４が形成されている。
【００４４】
溝４４は、幅方向から見て、下向きに折れ曲る略逆Ｌ字形状であり、上部保持部としての第１部４４Ａと、下部保持部としての第２部４４Ｂとを一体的に有している。第１部４４Ａは、対応する固定レール３９（右固定レール３９Ｒ）の上端部の近傍において、固定レール側固定金具４３の後端縁近傍から略水平方向に沿って前側へ延びている。第２部４４Ｂは、第１部４４Ａの後端から連続し、固定レール側固定金具４３の下端縁の近傍まで、斜め前側下方へ延びている。つまり、第２部４４Ｂは、第１部４４Ａに対して下側に連続している。
【００４５】
固定レール側固定金具４３において、第１部４４Ａの後端部を縁取る部分を、上側移動規制部４３Ａとし、上側移動規制部４３Ａに連続して第１部４４Ａの下端縁を縁取る部分を、上部保持部４３Ｂとする。そして、固定レール側固定金具４３において、上部保持部４３Ｂに連続して第２部４４Ｂの後側周縁を縁取る部分を、ガイド部４３Ｃとし、ガイド部４３Ｃに連続して第２部４４Ｂの下端部を縁取る部分を下側移動規制部４３Ｄという。上側移動規制部４３Ａおよび下側移動規制部４３Ｄは、湾曲状に形成されている。上部保持部４３Ｂは、略水平方向に沿って前側へ延びている。ガイド部４３Ｃは、上部保持部４３Ｂの後端から下側移動規制部４３Ｄまでの間を、斜め前側下方に延びている。
【００４６】
溝４４には、可動体４５が外れ不能に遊嵌されている。可動体４５は、溝４４の溝幅より僅かに小さい外径を有する円柱形状であり、その中心軸は、幅方向に沿って延びている。可動体４５は、その一部（ここでは、左端部）が溝４４に遊嵌された状態で、溝４４に沿って移動可能である。具体的に、可動体４５は、解除位置とロック位置との間で移動可能である。
【００４７】
解除位置にある可動体４５は、図６（ａ）、図６（ｃ）および図６（ｄ）に示すように、溝４４における第１部４４Ａに位置している。詳しくは、可動体４５は、固定レール側固定金具４３の上部保持部４３Ｂ上に載置されることよって、第１部４４Ａに保持されており、さらに、上側移動規制部４３Ａに対して前側から当接している。
ロック位置にある可動体４５は、図６（ｅ）に示すように、溝４４における第２部４４Ｂに位置している。詳しくは、可動体４５は、固定レール側固定金具４３の下側移動規制部４３Ｄに対して上側から当接し、第２部４４Ｂに保持されている。
【００４８】
可動体４５は、常態では、解除位置にある（図６（ａ）、図６（ｃ）および図６（ｄ）参照）。しかし、常態とは異なり、地震などによって所定レベル以上の振動が生じたときには、可動体４５は、その振動によって、上側移動規制部４３Ａに対して後側へ離間して上部保持部４３Ｂ上を前側へ移動し（図６（ｆ）参照）、その後、上部保持部４３Ｂから外れて（第１部４４Ａを離脱して）、ガイド部４３Ｃを滑り落ちて（第２部４４Ｂを下降して）、ロック位置まで移動する（図６（ｅ）参照）。なお、解除位置からロック位置までの可動体４５の移動は瞬時に行われる。
【００４９】
右固定レール３９Ｒの後方部分に固定レール側固定金具４３が固定されているのに対応して、図６（ｂ）に示すように、右可動レール４０Ｒの後方部分には、可動レール側固定金具４６が固定されている。なお、左固定レール３９Ｌに固定レール側固定金具４３が設けられている場合には、左可動レール４０Ｌの後方部分に可動レール側固定金具４６が固定されている。もちろん、左固定レール３９Ｌおよび右固定レール３９Ｒの両方に固定レール側固定金具４３が設けられている場合には、左可動レール４０Ｌおよび右可動レール４０Ｒの両方の後方部分に可動レール側固定金具４６が固定されている。このように、可動レール側固定金具４６は、可動レール側固定金具４６が固定される左可動レール４０Ｌおよび右可動レール４０Ｒの少なくとも一方の後方部分に固定されているので、可動レール側固定金具４６を正面から目立たなくすることができる。
【００５０】
可動レール側固定金具４６は、幅方向に薄く前後方向に長手の金属板であり、可動レール４０において加熱庫３０に対向する面（ここでは、右可動レール４０Ｒの左側面）に取り付けられている。可動レール側固定金具４６は、前から順に、第１部４７および第２部４８を一体的に備えている。第１部４７は、幅方向から見て、前後方向に長手の矩形状である。第２部４８は、幅方向から見て鉤形状であり、第１部４７から後側へ連続している。詳しくは、第２部４８の上端縁は、第１部４７の上端縁から連続して後側下方へ傾斜して延びてから（この部分を前方当接部としての傾斜縁４８Ａとする。）、略水平方向に沿って後側へ僅かに延び（この部分を水平縁４８Ｂとする。）、上方ヘ略垂直に延びてから（この部分を後方当接部としての垂直縁４８Ｃとする。）、湾曲しながら後側下方へ延びている。このように、幅方向から見て、第２部４８には、傾斜縁４８Ａ、水平縁４８Ｂおよび垂直縁４８Ｃによって区画されて、下側へ窪む凹部４８Ｄが形成されている。
【００５１】
右可動レール４０Ｒが右固定レール３９Ｒによって前後方向にスライド自在に支持された状態において、可動レール側固定金具４６は、図６（ｃ）に示すように、固定レール側固定金具４３と右可動レール４０Ｒとの間（つまり、固定レール側固定金具４３より右側）に配置されている。このとき、左端部が固定レール側固定金具４３の溝４４に遊嵌されている可動体４５の右端部と、可動レール側固定金具４６の第２部４８の上端縁とは、幅方向において同じ位置にある。また、幅方向から見たときに、第２部４８において、傾斜縁４８Ａの上端は、固定レール側固定金具４３の溝４４における上部保持部４３Ｂより上側にあり、垂直縁４８Ｃの上端は、上部保持部４３Ｂより下側にあり、水平縁４８Ｂは、下側移動規制部４３Ｄの下端と上下方向において同じ位置にある。
【００５２】
引き出しユニット３２が閉位置にあるとき（図１参照）、図６（ｃ）および図６（ｄ）に示すように、可動レール側固定金具４６の傾斜縁４８Ａの上端が、解除位置にある可動体４５の右端部に対して前側から当接している。これにより、可動体４５は、解除位置で固定され、ロック位置へ移動することができない。
この状態で引き出しユニット３２を開位置へ向けて前側に引き出すと、可動レール側固定金具４６では、傾斜縁４８Ａが可動体４５に対して前側に離間し、かつ、第２部４８における垂直縁４８Ｃおよび垂直縁４８Ｃより後側の部分が、解除位置にある可動体４５に当接することなく、可動体４５の下方を通過して前側へ移動する。これにより、引き出しユニット３２の前方移動が許容される。
【００５３】
そして、引き出しユニット３２が閉位置にあって可動体４５が解除位置にあるときに、上述した所定レベル以上の振動が生じると、引き出しユニット３２が前側へ移動し始める。これにより、可動レール側固定金具４６の傾斜縁４８Ａが可動体４５に対して前側に離間し、可動体４５に対する傾斜縁４８Ａの当接が解除される。そのため、可動体４５は、解除位置からロック位置への移動（溝４４における第１部４４Ａから第２部４４Ｂへの移動）が許容され、上述した振動によって、上部保持部４３Ｂ上を前側へ移動し始める（図６（ｆ）参照）。
【００５４】
その後、図６（ｅ）に示すように、可動レール側固定金具４６の凹部４８Ｄと固定レール側固定金具４３の下側移動規制部４３Ｄとが幅方向に見て一致するまで引き出しユニット３２が前側へ移動すると、可動体４５の左端部は、固定レール側固定金具４３において、上部保持部４３Ｂを外れてガイド部４３Ｃを滑り落ち、ロック位置まで移動する。このとき、可動体４５の右端部は、可動レール側固定金具４６の凹部４８Ｄに嵌まり込み、可動レール側固定金具４６の垂直縁４８Ｃに後方から当接される。ここで、ロック位置にある可動体４５は、固定レール側固定金具４３の溝４４から外れることができないので、可動体４５に垂直縁４８Ｃが後方から当接している可動レール側固定金具４６は、それ以上前側へ移動することができない。つまり、引き出しユニット３２の前方移動が阻止される。このような簡易な構成によって、所定レベル以上の振動が発生した場合においてもドア３７および受皿３８（図３参照）をロックすることができる。
【００５５】
そして、可動レール側固定金具４６の傾斜縁４８Ａは、所定レベル以上の振動が発生したとき、上述したように、可動体４５が固定レール側固定金具４３の溝４４において第１部４４Ａから離脱して第２部４４Ｂへ移動できるように、可動体４５から前方へ離間する。これにより、可動体４５を第２部４４Ｂに確実に保持させ、可動レール側固定金具４６の垂直縁４８Ｃを可動体４５に当接させることができる。そのため、可動レール側固定金具４６に傾斜縁４８Ａを設けた場合であっても、所定レベル以上の振動が発生した場合においてもドア３７および受皿３８をロックすることができる。
【００５６】
一方、このようにロック位置にある可動体４５に垂直縁４８Ｃが後方から当接している状態で、引き出しユニット３２を後方へ移動させると、可動レール側固定金具４６では、可動体４５に対する垂直縁４８Ｃの当接は解除され、代わりに、傾斜縁４８Ａが前方から可動体４５に当接する。これにより、可動体４５は、後側にある固定レール側固定金具４３のガイド部４３Ｃへ押し付けれ、ガイド部４３Ｃに沿って上昇する。そして、引き出しユニット３２を後側へ引き続き押し込むことにより、可動体４５は、傾斜縁４８Ａに押圧されて上部保持部４３Ｂまで乗り上げてから（図６（ｆ）参照）、上側移動規制部４３Ａに対して前側から当接し、解除位置まで移動する（図６（ｃ）および図６（ｄ）参照）。
【００５７】
つまり、傾斜縁４８Ａが可動体４５に前方から当接して可動体４５を溝４４の第１部４４Ａまで移動させる。これにより、可動体４５に対する垂直縁４８Ｃの当接が解除されるので、引き出しユニット３２の前方移動が再び許容される。つまり、傾斜縁４８Ａによって、上述したドア３７および受皿３８のロックを円滑に解除することができる。
＜変形例＞
次に、変形例に係る固定レール側固定金具４３および可動レール側固定金具４６について説明する。
【００５８】
図７において、図７（ａ）は、変形例に係る固定レール側固定金具４３が適用された右固定レール３９Ｒ（可動体４５が解除位置にある状態）の後方部の左側面図であり、図７（ｂ）は、変形例に係る可動レール側固定金具４６が適用された右可動レール４０Ｒの後方部の左側面図であり、図７（ｃ）は、変形例に係る固定レール側固定金具４３および可動レール側固定金具４６が適用された右レールユニット３４Ｒ（可動体４５が解除位置にある状態）の左側面図であり、図７（ｄ）は、図７（ｃ）において、右レールユニット３４Ｒの後方部を抜き出した図であり、図７（ｅ）は、図７（ｄ）において、可動体４５がロック位置にある状態を示している。
【００５９】
図７（ａ）に示すように、変形例に係る固定レール側固定金具４３は、対応する固定レール３９の上端部から加熱庫３０側（図２参照。ここでは、右固定レール３９Ｒの上端部から左側）へ延びて下方へ折れ曲る金属板である。固定レール側固定金具４３において下方へ折れ曲った部分には、この部分を肉厚方向（幅方向）に貫通する可動体案内路としての溝５０が形成されている。
【００６０】
溝５０は、幅方向から見て、斜め前側上方ヘ緩やかに傾斜するように延びており、下部保持部としての第１部５０Ａと、第２部５０Ｂと、第３部５０Ｃとを一体的に有している。第１部５０Ａは、固定レール側固定金具４３の下端部の後端縁近傍から略水平方向に沿って前側へ僅かに延びている。第２部５０Ｂは、第１部５０Ａの前端から連続し、固定レール側固定金具４３の上下方向半分位置よりやや下側まで、斜め前側上方へ延びている。第３部５０Ｃは、第２部５０Ｂの前端から連続し、固定レール側固定金具４３の前端縁近傍まで、略水平方向に沿って前側へ僅かに延びている。つまり、第２部５０Ｂおよび第３部５０Ｃを上昇案内部とすると、この上昇案内部は、第１部５０Ａに対して上側に連続している。
【００６１】
固定レール側固定金具４３において、第１部５０Ａの後端部を縁取る部分を、下側移動規制部５１Ａとし、下側移動規制部５１Ａに連続して第１部５０Ａの下端縁を縁取る部分を、下部保持部５１Ｂとする。そして、固定レール側固定金具４３において、下部保持部５１Ｂに連続して第２部５０Ｂの下側周縁を縁取る部分を、ガイド部５１Ｃとし、ガイド部５１Ｃに連続して第３部５０Ｃの下端縁を縁取る部分を上部保持部５１Ｄという。そして、固定レール側固定金具４３において、上部保持部５１Ｄに連続して第３部５０Ｃの前端部を縁取る部分を、上側移動規制部５１Ｅとする。
【００６２】
下側移動規制部５１Ａおよび上側移動規制部５１Ｅは、湾曲状に形成されている。下部保持部５１Ｂおよび上部保持部５１Ｄは、略水平方向に沿って前側へ僅かに延びている。ガイド部５１Ｃは、斜め前側上方に延び、下部保持部５１Ｂの前端と上部保持部５１Ｄの後端とをつないでいる。
溝５０には、上述した可動体４５が外れ不能に遊嵌されている。可動体４５は、溝５０の溝幅より僅かに小さい外径を有する円柱形状であり、その中心軸は、幅方向に沿って延びている。可動体４５は、その一部（ここでは、左端部）が溝５０に遊嵌された状態で、溝５０に沿って移動可能である。具体的に、可動体４５は、解除位置とロック位置との間で移動可能である。
【００６３】
解除位置にある可動体４５は、図７（ａ）、図７（ｃ）および図７（ｄ）に示すように、溝５０における第１部５０Ａに位置している。詳しくは、可動体４５は、固定レール側固定金具４３の下部保持部５１Ｂ上に載置されることよって、第１部５０Ａに保持されており、さらに、下側移動規制部５１Ａに対して前側から当接している。
ロック位置にある可動体４５は、図７（ｅ）に示すように、溝５０における第３部５０Ｃに位置している。詳しくは、可動体４５は、固定レール側固定金具４３の上部保持部５１Ｄ上に載置されることよって、第３部５０Ｃに位置しており、さらに、上側移動規制部５１Ｅに対して後側から当接している。
【００６４】
可動体４５は、常態では、解除位置にある（図７（ａ）、図７（ｃ）および図７（ｄ）参照）。しかし、常態とは異なり、地震などによって上述した所定レベル以上の振動が生じたときには、可動体４５は、その振動によって、下側移動規制部５１Ａに対して前側へ離間して下部保持部５１Ｂ上を前側へ移動し、その後、下部保持部５１Ｂから外れて（第１部５０Ａから離脱して）、ガイド部５１Ｃを滑り上がり（第２部５０Ｂおよび第３部５０Ｃを上昇し）、ロック位置まで移動する（図７（ｅ）参照）。なお、解除位置からロック位置までの可動体４５の移動は瞬時に行われる。
【００６５】
右固定レール３９Ｒの後方部分に、変形例に係る可動レール側固定金具４６が固定されているのに対応して、図７（ｂ）に示すように、変形例に係る可動レール側固定金具４６は、右可動レール４０Ｒの後方部分に固定されている。なお、上記した実施形態と同様に、左固定レール３９Ｌに可動レール側固定金具４６が設けられている場合には、左可動レール４０Ｌの後方部分に可動レール側固定金具４６が固定されている。もちろん、左固定レール３９Ｌおよび右固定レール３９Ｒの両方に固定レール側固定金具４３が設けられている場合には、左可動レール４０Ｌおよび右可動レール４０Ｒの両方の後方部分に可動レール側固定金具４６が固定されている。
【００６６】
変形例に係る可動レール側固定金具４６は、幅方向に薄く、左側面視において前後方向に長手の矩形状の金属板であり、可動レール４０において加熱庫３０に対向する面（ここでは、右可動レール４０Ｒの左側面）に取り付けられている。可動レール側固定金具４６において、その後端には、下側へ突出する第１凸部５２が形成され、その前端には、第１凸部５２よりも下側へ突出する第２凸部５３が形成されている。第１凸部５２の前端縁５２Ａは、斜め前側下方へ傾斜しており、第２凸部５３の後端縁５３Ａは、斜め前側下方へ傾斜している。前端縁５２Ａは、後方当接部として機能する。
【００６７】
右可動レール４０Ｒが右固定レール３９Ｒによって前後方向にスライド自在に支持された状態において、可動レール側固定金具４６は、図７（ｃ）に示すように、固定レール側固定金具４３と右可動レール４０Ｒとの間（つまり、固定レール側固定金具４３より右側）に配置されている。このとき、左端部が固定レール側固定金具４３の溝５０に遊嵌されている可動体４５の右端部と、可動レール側固定金具４６の第１凸部５２および第２凸部５３とは、幅方向において同じ位置にある。また、幅方向から見たときに、第１凸部５２（前端縁５２Ａ）の下端は、固定レール側固定金具４３の溝５０における第１部５０Ａより上側にあり、第３部５０Ｃの下端（上部保持部５１Ｄ）と上下方向においてほぼ同じ位置にある。一方、幅方向から見たとき、第２凸部５３（後端縁５３Ａ）の下端は、第１部５０Ａより下方にある。
【００６８】
引き出しユニット３２が閉位置にあるとき（図１参照）、図７（ｃ）および図７（ｄ）に示すように、可動レール側固定金具４６の第１凸部５２が、解除位置にある可動体４５のより後側にあり、第２凸部５３が、可動体４５より前側にある。
この状態で引き出しユニット３２を開位置へ向けて前側に引き出すと、可動レール側固定金具４６は、前側へ移動し、このとき、第１凸部５２の前端縁５２Ａが、解除位置にある可動体４５に当接することなく、可動体４５の上方を通過する。これにより、引き出しユニット３２の前方移動が許容される。
【００６９】
そして、引き出しユニット３２が閉位置にあって可動体４５が解除位置にあるときに、上述した所定レベル以上の振動が生じると、可動体４５は、この振動によって、上述したように、図７（ｅ）に示すロック位置まで移動する。
そのため、引き出しユニット３２が前側へ移動すると、可動レール側固定金具４６の第１凸部５２の前端縁５２Ａが、ロック位置にある可動体４５に後方から当接する。ここで、ロック位置にある可動体４５は、固定レール側固定金具４３の溝５０から外れることができず、固定レール側固定金具４３の上側移動規制部５１Ｅに押し付けられるので、可動体４５に第１凸部５２が後方から当接している可動レール側固定金具４６は、それ以上前側へ移動することができない。つまり、引き出しユニット３２の前方移動が阻止される。このような簡易な構成によって、所定レベル以上の振動が発生した場合においてもドア３７および受皿３８をロックすることができる。
【００７０】
一方、このようにロック位置にある可動体４５に第１凸部５２（前端縁５２Ａ）が後方から当接している状態で、引き出しユニット３２を後方へ移動させると、可動体４５に対する第１凸部５２の当接が解除されるので、可動体４５は、自重によって、固定レール側固定金具４３の上側移動規制部５１Ｅおよび上部保持部５１Ｄから外れてガイド部５１Ｃを滑り落ち、解除位置へ戻る（図７（ｃ）参照）。このように可動体４５が自重によって解除位置へ戻れない場合には、可動レール側固定金具４６の第２凸部５３の後端縁５３Ａを前方から可動体４５に当接させてもよい。これにより、可動体４５は、第２凸部５３に後側へ押圧されることによって、固定レール側固定金具４３の上側移動規制部５１Ｅおよび上部保持部５１Ｄから外れてガイド部５１Ｃを滑り落ち、解除位置へ戻る（図７（ｃ）参照）。
【００７１】
この発明は、以上の実施形態の内容に限定されるものではなく、請求項記載の範囲内において種々の変更が可能である。たとえば、送風装置１９によって冷却風を左通風口２０から強制排気しているが、送風装置１９を用いずに自然排気してもよい。
【図面の簡単な説明】
【００７２】
【図１】加熱調理器１を正面右上から見た斜視図である。
【図２】図１に示す加熱調理器１の正断面図である。
【図３】図１において、ロースター１７における引き出しユニット３２を手前に引き出した状態を示す。
【図４】図３における加熱調理器１を正面左上側から見た斜視図であって、受皿３８が取り外された状態を示す。
【図５】図４において、ドア３７が取り外された状態を示す。
【図６】図６（ａ）は、右固定レール３９Ｒ（可動体４５が解除位置にある状態）の後方部を左前側から見た斜視図であり、図６（ｂ）は、右可動レール４０Ｒの後方部を左前側から見た斜視図であり、図６（ｃ）は、右レールユニット３４Ｒ（可動体４５が解除位置にある状態）の左側面図であり、図６（ｄ）は、図６（ｃ）において、右レールユニット３４Ｒの後方部を抜き出した図であり、図６（ｅ）は、図６（ｄ）において、可動体４５がロック位置にある状態を示し、図６（ｆ）は、図６（ｄ）において、可動体４５が解除位置とロック位置との間にある状態を示している。
【図７】図７（ａ）は、変形例に係る固定レール側固定金具４３が適用された右固定レール３９Ｒ（可動体４５が解除位置にある状態）の後方部の左側面図であり、図７（ｂ）は、変形例に係る可動レール側固定金具４６が適用された右可動レール４０Ｒの後方部の左側面図であり、図７（ｃ）は、変形例に係る固定レール側固定金具４３および可動レール側固定金具４６が適用された右レールユニット３４Ｒ（可動体４５が解除位置にある状態）の左側面図であり、図７（ｄ）は、図７（ｃ）において、右レールユニット３４Ｒの後方部を抜き出した図であり、図７（ｅ）は、図７（ｄ）において、可動体４５がロック位置にある状態を示している。
【符号の説明】
【００７３】
１      加熱調理器
４      天板
７      左加熱コイル
８      右加熱コイル
１３    下側空間
１４    遮熱板
１５    左領域
１６    右領域
３０    加熱庫
３０Ａ  前面開口
３７    ドア
３８    受皿
３９Ｌ  左固定レール
３９Ｒ  右固定レール
４０Ｌ  左可動レール
４０Ｒ  右可動レール
４３    固定レール側固定金具
４４    溝
４４Ａ  第１部
４４Ｂ  第２部
４５    可動体
４６    可動レール側固定金具
４８Ａ  傾斜縁
４８Ｃ  垂直縁
４９    ヒータ
５０    溝
５０Ａ  第１部
５０Ｂ  第２部
５０Ｃ  第３部
５２Ａ  前端縁
【図１】
0005049766.tif 000002
【図２】
0005049766.tif 000003
【図３】
0005049766.tif 000004
【図４】
0005049766.tif 000005
【図５】
0005049766.tif 000006
【図６】
0005049766.tif 000007
【図７】
0005049766.tif 000008